(57)【要約】本発明は、内部エネルギー供給装置を備えた装置についての放熱に関する。電気負荷及びエネルギー供給装置のためのハウジング装置が提供される。当該ハウジング装置は、特にラップトップハウジングであり、エネルギー供給装置で発生する熱を少なくとも１つの流動媒体によってハウジング装置の少なくとも１つの外面に移動させ、その外面から熱を放出する、という放熱装置を有する。
2005522822.tif 000002
【特許請求の範囲】
【請求項１】
電気負荷及びエネルギー供給装置のためのハウジング装置であって、
エネルギー供給装置で発生する熱を、少なくとも１つの流動媒体によって、ハウジング装置の少なくとも１つの外面に移動させ、その熱を当該外面から放出する、という放熱装置を有すること、
を特徴とするハウジング装置。
【請求項２】
放熱装置はパイプシステムを有し、当該パイプシステムは、ハウジング装置に組み入れられており、熱移動を実現する少なくとも１つの流動流体のために用いられること、
を特徴とする請求項１に記載のハウジング装置。
【請求項３】
放熱のために利用できるハウジング装置の外面を拡張するための、旋回式装置および／又は引き出し式装置を備えること、
を特徴とする請求項１又は２に記載のハウジング装置。
【請求項４】
放熱に利用される外面のうち少なくとも１つは、放熱を向上させるために表面積を拡大する構造的特徴を示すこと、
を特徴とする請求項１乃至３のいずれかに記載のハウジング装置。
【請求項５】
表面積を拡大する構造的特徴とは、粗さを増した表面、及び／又は、冷却フィン、及び／又は、表面波状構造、及び／又は、多孔性表面素材を含むこと、
を特徴とする請求項４に記載のハウジング装置。
【請求項６】
放熱装置は、外面のうち放熱のために利用される少なくとも１つの外面における空気循環を改善するために、少なくとも１つのファンを有すること、
を特徴とする請求項１乃至５のいずれかに記載のハウジング装置。
【請求項７】
エネルギー供給装置は燃料電池装置で成ること、
を特徴とする請求項１乃至６のいずれかに記載のハウジング装置。
【請求項８】
放熱装置は、電気負荷によって発生する熱もまた放熱することが可能となるように形成されていること、
を特徴とする請求項１乃至７のいずれかに記載のハウジング装置。
【請求項９】
請求項１乃至８のいずれかに記載のハウジング装置を備えるポータブルコンピュータ。
【請求項１０】
放熱のために利用される外面は、平らなスクリーン部の正面および／又は背面を含むこと、
を特徴とする請求項９に記載のポータブルコンピュータ。
【請求項１１】
エネルギー供給装置は、スクリーンを有するハウジング部分に設けられていること、
を特徴とする請求項９又は１０に記載のポータブルコンピュータ。
【請求項１２】
放熱装置は、コンピュータ電子機器で発生する熱もまた放熱することができるように形成されていること、
を特徴とする請求項９乃至１１のいずれかに記載のものを請求項８に記載のものと組み合わせたポータブルコンピュータ。
【発明の詳細な説明】
【技術分野】
【０００１】
本発明は、内部エネルギー供給源（具体的には燃料電池装置）を用いて動作させられる電気装置の放熱法に関する。本発明が主に用いられる分野はポータブルコンピュータである。
【背景技術】
【０００２】
通常、小型の電気装置には、ハウジング内に配置された非充電式または充電式のバッテリーから電流が供給される。モバイル電気装置の初期および現在進行中の開発において、その目的とするところには主な特徴が２つ存在する。すなわち、可能な限り小型の装置とすること、その小型装置で可能な限り最高の性能を実現すること、である。小型化に対する要求の結果、外のり寸法の小型化および／または構造の扁平化が進むこととなり、それに応じて、ハウジング内部において負荷のために発生する熱を放熱する役目を果たさなければならない外面も小さくなる。これまで、エネルギー供給装置の冷却に対しては、ほとんど注意が払われてこなかったが、それは、非充電式バッテリーや充電式バッテリーの場合、発生する固有熱量が小さいことから、冷却の役割が重要性を持たないことによる。
【０００３】
たとえ、非充電式バッテリー／充電式バッテリーを備えたネットワーク独立型のエネルギー供給源を用いるのが、現在の標準的な形となっているとしても、消費者付加性能（performance consumer loads）がますます高まっている状況では、現在よりも長期間の動作に適した、さらに性能の高いエネルギー供給装置を利用できるようにする必要がある。近年の燃料電池の進歩が急速であることから、新たなトレンドが重要性を増してきた。それは、こうした種類の電気装置に対し、非充電式／充電式のバッテリーの代わりに燃料電池を用いてエネルギー供給を実現することである。
【０００４】
しかし、小型の電子装置に対して燃料電池を用いる場合、内部エネルギー源によって発生する熱は、負荷によって発生する熱と比較すると、無視できない大きさである。従って、放熱（「冷却」）の問題はいっそう顕著になる。
ここで指摘しておくべきこととして、本出願明細書における「放熱」および「冷却」という用語は、対象の技術において使用される普通の言葉の意味に従って、同義的に用いられている。
【０００５】
上で概説した問題の主要な例は、ポータブルコンピュータ（ノート、ラップトップ、ＰＤＡ、オーガナイザ、その他）であるが、説明を簡単にするため、そして一般性が制限されないようにするため、以下、ラップトップと言う。よって、本発明については、基本的に、ポータブルコンピュータの利用分野（本発明が予め特に対象としていたもの）に関連付けて説明する。しかし、本発明はこの分野だけに限定されない、ということを理解しておくべきである。特に、携帯電話（主に新世代のインターネット対応の携帯電話）やモニタ付きの携帯機器（ポータブルテレビ、測定装置、救急業務用の医療機器など）も、本発明にとっての利用分野である。
【０００６】
コンピュータの中心部はエレクトロニクスであり、具体的にはプロセッサであるが、プロセッサには適切な冷却が絶対に必要であり、この点には関しては高度な進歩が見られる。ポータブルコンピュータが特に適した利用分野となるのは、その構造が扁平だからである。ポータブルコンピュータは、その容積に比して表面積が大きい。さらに使用時には、折りたたみのスイベル型スクリーンが開けられるので、その表面積は２倍近くになる。
【０００７】
図１は、スクリーン部分が折りたたみ型となった通常のポータブルコンピュータを示す概略図である。ラップトップの外面のうち、サイズの点から見て重要な４つの面について、１〜４の番号を付けてある。番号１はラップトップのベースプレートの底面を示す。番号２はラップトップのベースプレートの上側面（この面は、大半がキーボードで占められる）を示す。番号３、４はそれぞれ折りたたみ型スクリーン蓋の正面、背面を示す。
【０００８】
様々な理由があって、現在市場で入手可能なラップトップでは、これら４つの面はいずれも、放熱において重要な役割は果たしていない。底面１については、条件つきでしか放熱に適していない。放熱には、周囲の空気との空気循環が必要だからである。キーボード側の面２は、キーボードや他の操作管理部によって大きく占有されているが、キー面や他の操作部の面は、構造上の理由や操作上の理由で放熱にはあまり適していない。特に放熱に適しているのは、折りたたみ型スクリーン蓋（特に、背面４）であろう。しかし、この場合、ハウジングのうちプロセッサの見られる部分からスクリーン蓋まで熱を移動させる必要がある。そして、これを確実に行うには、適切な形で流動媒体を用いるしかない。この方向での検討も行われているが（例えば、米国特許：第５,３８３,３４０号および第５,６３４,５３１号を参照）、こうした発明概念は、技術的な複雑さが相当なものであるため、未だに確立されていない。別の形として、スクリーン蓋に能動（active）電子負荷を設けるというものがある。これについては、米国特許：第５,３８３,３４０号および米国特許：第６,１８１,５５５号および第５,９８２,６１７号に提案されている。したがって、一般にプロセッサの冷却は、ファンを用いて、ラップトップハウジングの狭い背面側外面にある換気口Ｌを通して行うしかない。
【発明の開示】
【発明が解決しようとする課題】
【０００９】
そこで、本発明は、内部エネルギー供給装置を備える電気装置においてエネルギー供給装置の動作によって発生する熱を効果的に放熱することを１つの目的とする。
具体的には、本発明は、電子装置のエネルギー供給を目的とした燃料電池の使用可能性を向上させることを目的とする。
【課題を解決するための手段】
【００１０】
上述した目的は、請求項１に規定する特徴を有した、本発明によるハウジング装置によって解決される。
そのために、当該ハウジング装置（電気負荷およびそのエネルギー供給装置のための収容設備を提供するもの）は放熱装置を有し、当該放熱装置は、エネルギー供給装置で発生する熱を１以上の流動媒体によってハウジング装置の少なくとも１つの外面まで移動させて、当該外面を通して熱を排出する。
【発明の効果】
【００１１】
エネルギー供給装置からの熱を外面に送って放熱する場合には、流動媒体を用いて熱を移動させる方が、（電気的および／またはフォノニックな（phononic））熱伝導や熱放射よりも実質的に効率が良い。それでも、後者のプロセスは両方とも、具体的には、外面全体への均一分散（熱伝導）および周囲の環境への放出（熱放射）といった形で、補助的な寄与をすることはできる。
【００１２】
「ハウジング」は通常、変化しない特定の外部形状を有した堅い外被を意味する語と考えられているので、ここでは、広い表現として「ハウジング装置」を用いるが、この表現を用いる意図は、本発明が、単純形成のハウジングだけでなく、多くのハウジング部分が一体に結合され、任意の構成として、それら部品を互いに相対移動させることもできる、というハウジング装置も使用対象とすることを示す点にある。更に言えば、本発明による概念を特に効果的に実現できるのは、こうしたハウジング装置を用いた場合である。
【００１３】
従来型のハウジング装置で、組み込み型エネルギー供給装置を備えるものについては、エネルギー供給装置からの放熱に関して特別な配慮がなされることはなく、放熱はせいぜい、ハウジング装置内の空気の自然対流やハウジング部分を介しての熱伝導によって生じるのみであった。それに対し、本発明は放熱のための能動装置を提供し、これによって、熱の発生が比較的大きいエネルギー供給装置の使用が容易になる。流動媒体（または流動媒体の１つ）は、ハウジング装置内で利用できる空気とすることができる。燃料電池をエネルギー供給装置とする場合は、その廃棄ガスを流動媒体とすることができる。これらの場合、放熱能動装置は、例えば、自然対流に比べてはるかに放熱の効率が良い空気流または気体流を作り出すことができる、という１つ以上の送風装置で成る。しかし、放熱のために特に提供される媒体（たとえば、冷却回路やヒートパイプにおけるもの）を用いることもできる。
【００１４】
そこで、本発明の放熱装置は、特に好ましい様態で更に発展させた形では、熱の移動を実現する１以上の流動流体のためのパイプシステムを、ハウジング装置に一体化された形で有している。
このパイプシステムは、少なくとも外面のうち効果的な熱的活性を有する領域の位置で、外面の壁に一体化することができる、これには、外面への熱移動を改善し、さらに内部スペースのより効率的な利用を促進する、という構造上の効果がある。
【００１５】
外面のうち当該領域では、パイプシステムは分散構造／蛇行構造を示し、その構造によって、面のできるだけ多くの部分を熱放出部に組み入れて、効率を向上させることができる。
効果的な形に更に発展させた構成では、折りたたみ型および／または引き出し型装置は、ハウジング装置の上または中に設けられ、その補助によって、ハウジング装置のうち熱放出の目的で使用できる面を拡張することができる。
【００１６】
この発展形の構成がもっぱら実用的であるのは、外面が「固有」で、それが熱放出に適していない場合、あるいは、その面積が充分でない場合（すなわち、具体的に言えば、外表面積の小さな小型装置の場合）である。
同様に、熱放出の効率を高めるためには、熱放出に用いられる外面に対し、表面積を拡大するような構造上の特徴を与えることが適切であろう。表面積の拡大は、冷却フィンなどの突出部材や凹凸を付けた面を用いる手法を用い、目に見える形で実現することもできるが、面をさらに粗く加工したり、表面構造を多孔性にしたりする手法で顕微鏡的に実現することもできる
また、放熱の効果を高めるためには、ある条件の下では、熱放射による貢献分も考慮しなければならないが、これについては指摘するだけで足り、詳細な説明をするまでもない。つまり、外面に塗料を塗って放射放出を向上させるという手法は、全く実際的なものといえよう。
【００１７】
これとは別な形として、または、これに加えて、放熱装置については、ファン（送風装置）を１つ以上、熱放出のために用いられる外面のうちの少なくとも１つに有する、という形にすることができる。これにより、空気循環は向上し、その結果、熱は周囲の環境に移動することになる。
本発明による概念は、エネルギー供給装置が組み込まれた電気装置であれば、どんなものにも用いることができる。ただし、これが特に実用的であるのは、このエネルギー供給装置が燃料電池装置であるか、それを含んでいる場合である。これは、燃料電池装置で発生する熱が通常、主要セルや補助的セルなどの類似のエネルギー供給装置を用いた場合に比べ、相当に高くなるからである。
【００１８】
効果的な形で更に発展させた構成では、放熱用装置は、電気負荷によって発生する熱を放熱するのにも適した形に形成されている。これが意味するのは、例えば、電気負荷を通過する形で流動流体用のパイプシステムを走らせ、それによって、当該システムが電気負荷によって発生する熱を取り上げ、適当な熱交換装置を用いて放熱することができる、ということである。
【００１９】
本発明の利用分野として特に好ましいのはポータブルコンピュータであり、特に、それが有するハウジング装置を、上述の特徴に従って改良することが可能である、あるいは、（通常、このほうが好ましいが）最初からこうした詳細に従って設計することが可能である、というものである。従来のポータブルコンピュータは別として、ハウジング部分の配置に関して多少とも意義のある変形を施すのは好ましいことであり、そうした変形の一部については、「図面の説明」に続く記述の中で、好ましい実施の形態として取り上げる。
【００２０】
特に従来のポータブルコンピュータの場合、放熱用の外面として特に適しているのはフラットスクリーンの背面である。それは、この面が比較的広いうえに、それ以上に機能面での役割を持たないからである。しかし、ある条件の下では、スクリーンの正面もまた、放熱のために用いることができる。
特に好ましい形で更に発展させた構成（具体的には、パイプシステムの作りを単純化したもの）では、エネルギー供給装置は、スクリーンを含むハウジング部に収容される。この場合、流体については、互いに相対的に移動する各種（スイベル型の）ハウジング部分を通る形で流す必要はない。
【００２１】
好ましい構成として、放熱装置は、エネルギー供給装置の冷却に加えて、コンピュータ電子機器（特に、プロセッサユニット）で発生する熱の効果的放熱まで実現するように形成されている。
これが意味するのは、例えば、ＤＭＦＣの場合にはエネルギー供給装置として燃料電池を使用でき、６０℃の放出空気を用いて、それよりいくぶん高い温度のプロセッサを冷却する、ということである。
【００２２】
ここから、本発明の基本原理について、添付の図面を参照しながら、本発明が特に適した利用分野（すなわち、燃料電池から電力を得るポータブルコンピュータ）を基礎にして説明する。
【発明を実施するための最良の形態】
【００２３】
図１に関しては、本説明に先立つ部分ですでに言及した。同図が示すのは、ハウジング部分Ｔがテーブル面に載り、スクリーン蓋Ｂが斜めに立つ状態となる折りたたみ式ポータブルコンピュータの略図である。本図は、本発明のポータブルコンピュータ上での用法の基礎となる基本構成を形成する構造上の条件を示すためのみに用いられる。上サイド２にあるキーボードを除くと、一般に、コンピュータ電子機器の基本的な構成要素の全て、及び、電子機器に必要なエネルギー供給装置はハウジング部分Ｔの中に入っている。
【００２４】
通常の充電式電池から電力を得るラップトップでは、折りたたみ式ハウジングが有する４つの大きな外面１〜４が、ラップトップの動作中に発生する熱の放熱に貢献する、しかし、これによる放熱量は充分ではない。そこで、プロセッサは通常、ファンを使ってハウジング部分Ｔの裏面にある空気穴Ｌから換気する、というやり方で冷却される。
図２に示すのは、本発明の第１の好適な実施の形態の略図である。図１におけるラップトップとは対照的に、図２に略図で示したラップトップは、ハウジング部分Ｔに収容された燃料電池装置から電力の供給を受ける。燃料電池装置で発生する熱を充分な程度までハウジング部分Ｔから放熱させるために、自立型蓋ユニットＢの広い面が用いられる。
【００２５】
この場合、ハウジング部分Ｔで発生する熱をスクリーン蓋Ｂに移動させなければならない。好ましい構成として、熱の移動は流動媒体によって実現される。媒体は、エネルギー供給装置で発生する熱をハウジング部分Ｔで取り上げ、その後、流れ装置を用いて、ハウジング部分Ｔからの熱を蓋Ｂへ送り、周囲の環境に熱を放出する。なお、流れ装置については、その一部である可撓性ホース６だけを、概略的な形で図に描いてある。
【００２６】
特に、エネルギー供給装置が燃料電池装置を含む場合、放熱に用いられる流体は、燃料電池装置の動作に用いられる流体や、それに伴って生じる反応生成物とすることができる。
２つの適切な実施の形態を、図３（ａ）〜３（ｃ）、及び、図４（ａ）〜４（ｃ）に簡略化した形で示してある（各々見方は異なっている）。
【００２７】
先ず、図３を参照する。この場合、図３（ａ）に示すように、加熱された流体（気体または液体）が、ハウジング部分Ｔに設けられた燃料電池１０からパイプ６を通って、蓋ユニットＢにまで流れる。そして、ユニットＢにおいて、流体は分散構造９によってカバーユニット内で分散させられ、その結果、最大限の広さの面を周囲環境への熱放出のために用いることができる（図３（ｂ）参照）。ここでは、流体の種類および物理的条件によるが、流体自体が周囲環境に放出されるという形で放熱を生じさせることにしてもよい。そしてそれは、例えば空気、二酸化炭素や水蒸気の場合、比較的問題が小さい。この場合、放出のために設けられる領域（図３（ｃ）に平面図で簡単に示すもの）は、多孔性構造を示すものにするのが好ましい。
【００２８】
ただし、放熱に特に適しているものとしては、熱源（燃料電池１０）とヒートシンク（蓋ユニットＢ）との間の循環流もあり、これについては、図４（ａ）に概略的に示してある。この形がもっぱら好ましいのは、燃料電池の動作中に使用される流体が、出力側で生じさせられるのと共に入力側に供給することができる（条件によっては異なる組成となる）という場合である。こうした流体の種類としては、例えば、水や空気がある。蓋ユニットＢの外側面を効果的に利用するために、外壁の中またはすぐ下に、分散手段構造９が、例えば、蛇行流れガイド（図４（ａ）、４（ｂ）参照）の形で設けられる。周囲環境との熱交換を向上させるために、表面積拡大構造を設けることができる。例としては、外面を波形の構造とする、及び／または、外面にフィンを設ける（図４（ｃ）に示す）、という形が可能である。
【００２９】
さらに、閉じた冷却回路であれば、エネルギー供給装置から独立させることもできる。これには、関連する温度範囲において最も適した流体や流体混合物を放熱のために用いることができる、という効果がある。この種の構成については、図５に概略的に示す。ここでは、放熱は、別個の密閉回路（特別に設けられたもの）によって実現されるが、その場合、当該回路を流れる流体はエネルギー供給装置１０で発生する熱を熱交換器１１によって取りあげる。これは、燃料電池装置の場合、例えば、燃料電池装置の加熱流体による向流プロセスの中で行われる。
【００３０】
図４及び図５において説明する種類の放熱構造は、適当な流体または流体混合物を用いて、二相回路として形成することができるが、そこでは、液状媒体は熱を吸収して気化し、気体の状態で燃料電池１０から分散手段構造９に流れ、そこで熱を放出して凝縮した後、凝縮後の状態で燃料電池１０に再びフィードバックされる。
簡略図に示した例の説明では、面において生じる自然対流で、周囲環境への放熱に充分であると仮定される。しかし、必要であれば、ファンを設けて対流を促進することも可能である。例えば図２に関連して説明したように、スクリーンのあるハウジング部分Ｂを冷却のために利用するのであれば、その際、スクリーン側３は、冷却面として作用する背面４から熱的に隔離することができる。これが必要でない場合、あるいは、屋外温度が低く、スクリーンを暖めることが効果的である場合は、蓋ユニットＢのスクリーン側３も放熱に利用することが可能である。
【００３１】
図６は、本発明の第２の好適な実施の形態を示す概略図である。図２に示す実施の形態とは対照的に、あるいは、それに置き換えまたは追加する形で、本実施の形態では、別個の冷却面７が設けられている。これは、旋回させて蓋ユニットＢから外すことができ、さらに、両側にフィンを設けて冷却効果を高めることができる。図に示した例では、この冷却面７は、床面に立てる形とすることで、蓋ユニットＢの支える働きをすることもできる。後者が好ましいのは、主として、燃料電池装置が蓋ユニットＢに一体化されている場合である。
【００３２】
図６および図８乃至１１において簡略化した図で示した実施の形態に置き換えまたは追加して、図７に概略的に示す形で、側面方向または正面方向に旋回させて外すことのできる別個の冷却面を設けることができる。熱を放出するため、これらの冷却面は、スクリーン面の正面側領域の周囲にある空気を暖める目的で利用することができ、これは、屋外の低温環境での使用可能性を向上させる。同時に、これらの面は、視界シェードとして、側面で入射する干渉光に対するガードとして、そして、その他の環境的な影響（例：雨粒、水はね）に対するスクリーン保護部材として利用することができる。
【００３３】
スクリーン部分Ｂを支える冷却面７の効果がもっぱら実際的になるのは、図８の実施の形態によって図示されるように、エネルギー供給装置（例えば、燃料電池装置）および基本的な電子部品が、スクリーンのあるハウジング部分Ｂに組み入れられている、という場合である。この場合、床面に置かれたユニットＴには、手動操作に必要な装置（特に、キーボード）はなくてもよく、従って、いわゆるタッチパッドなどのように、非常に平らな形に作ることができる。
【００３４】
図９に示す実施の形態は、図７の場合と類似の原理に基づいている。ここでは、電子機器及びエネルギー供給装置が１つのハウジング主要部分Ｈに組み込まれている。スクリーン部分Ｂ及びキーボード部分Ｔは、このハウジング主要部分Ｈから外れる形に旋回させることの可能な、薄い層またはパッドの形で形成することができる。主要ハウジングＨには、燃料電池装置及び電子機器が見られるが、この場合、斜めに立って、広いハウジング面の一方または両方に代わって、放熱に貢献することもできる。略図で示した本例では、広いハウジング面の両方に、放熱のためのフィン５が設けられている。この実施の形態に関する効果は、旋回軸を経由する形に流体を通す必要がない、という点である。
【００３５】
図１０は別の実施の形態を示すが、これもまた、図７に示す実施の形態の原理を実施したものである。共通の旋回式スクリーンユニットＢ及びキーボードユニットＴが、直立する主要ハウジングＨの一方の側面に取り付けられており、その反対側には冷却面７が取り付けられる。当該冷却面も旋回式であるが、支持機能も実現する。
本発明が特に適しているのは、旋回式で面積の大きなハウジング部分を有する、という装置である。本発明の目的は、電気装置の内部エネルギー供給装置で発生した熱を、効率的な形で放熱することである。ただし、これに加えて、内部負荷（プロセッサ、モータなど）によって発生した熱も放熱することができる、ということも理解しておくべきである。使用分野については、面積の広いハウジング外面を有していない装置にも拡大できるが、それは、当該装置が、放熱を目的とした旋回式および／または引き出し式の面あるいはその他の装置（例えば、冷却コイル）を備えていない場合である。
【図面の簡単な説明】
【００３６】
【図１】従来のポータブルコンピュータを示す概略図である。
【図２】本発明の第１の好適な実施の形態を示す概略図である。
【図３】本発明の基礎となる概念の実際的な実施形に関する概略詳細図である。
【図４】本発明の基礎となる概念の実際的な実施形に関する概略詳細図である。
【図５】本発明の基礎となる概念の実際的な実施形に関する概略詳細図である。
【図６】本発明の第２の好適な実施の形態を示す概略図である。
【図７】本発明の第３の好適な実施の形態を示す概略図である。
【図８】本発明の第４の好適な実施の形態を示す概略図である。
【図９】本発明の第５の好適な実施の形態を示す概略図である。
【図１０】本発明の第６の好適な実施の形態を示す概略図である。
【図１】
2005522822.tif 000003
【図２】
2005522822.tif 000004
【図３】
2005522822.tif 000005
【図４】
2005522822.tif 000006
【図５】
2005522822.tif 000007
【図６】
2005522822.tif 000008
【図７】
2005522822.tif 000009
【図８】
2005522822.tif 000010
【図９】
2005522822.tif 000011
【図１０】
2005522822.tif 000012
【国際調査報告】
2005522822.tif 000013
2005522822.tif 000014
2005522822.tif 000015
2005522822.tif 000016